(57)【特許請求の範囲】
【請求項１】
カードが挿入されるカード挿入口と、このカード挿入口に連通されたカード搬送路と、このカード搬送路を形成する一対の対向するケースと、前記カード搬送路内のカードを搬送する搬送手段とを備えたカードリーダであって、前記一方のケースを他方のケースの前記カード挿入口と反対側の端部において開閉自在に枢支し、この回動支点を前記カード搬送手段の駆動軸とし、前記一方のケースに、この一方のケースを前記他方のケースに対して開くことによりカードのカード挿入口と反対側の端部を押圧する押圧部を設け、この押圧部に対応するように前記他方のケースに凹部を設けたことを特徴とするカードリーダ。
【請求項２】
請求項１記載のカードリーダにおいて、前記駆動軸の両端を回転自在に支持するカラーを設け、このカラーを介して前記一方のケースを他方のケースに対して回動自在に支持したことを特徴とするカードリーダ。
【発明の詳細な説明】
【０００１】
【発明の属する技術分野】
本発明は、カード挿入口からカード搬送路内に挿入されたカードをデータ処理部まで搬送し、カードのデータを処理した後、再びカードを搬送し排出させるカードリーダに関する。
【０００２】
【従来の技術】
一般に、この種のカードリーダにおいては、カードをカード搬送路内で搬送しているときにカードが詰まることがあり、詰まったカードをそのままの状態にしておくと、次のカードを挿入することができなくなるので、この詰まったカードを取り除く必要がある。この詰まったカードを取り除くことのできる構造のカードリーダとして特開平８−３３５２５１号公報に開示されたものがある。
【０００３】
ここに開示されたものは、カード挿入口と、このカード挿入口に連設されたカード搬送路と、このカード搬送路を形成するベースおよびアッパーケースと、カード挿入口からカード搬送路内に挿入されたカードを搬送する駆動ベルトおよび従動ベルトとによって構成されている。ベースの後端部には軸が横架され、アッパーケースの後端部にはフック部が設けられ、このフック部を軸に掛けることによって、この軸を回動中心としてアッパーケースがベースに回動自在に支持され、アッパーケースによってカード搬送路が開閉されるように構成されている。したがって、カードがカード搬送路内において詰まったとしても、アッパーケースを回動させ、カード搬送路を開くことにより、詰まったカードを取り除くことができる。
【０００４】
【発明が解決しようとする課題】
しかしながら、上述した従来のカードリーダにおいては、アッパーケースを回動自在に支持することだけを目的とした軸を設けた構造になっていることにより、部材が増加するばかりか、軸を設けるスペースが必要になるので装置が大型化するという問題があった。
【０００５】
本発明は上記した従来の問題に鑑みなされたものであり、その目的とするところは、装置の小型化を図ったカードリーダを提供することにある。
【０００６】
【課題を解決するための手段】
この目的を達成するために、請求項１に係る発明は、カードが挿入されるカード挿入口と、このカード挿入口に連通されたカード搬送路と、このカード搬送路を形成する一対の対向するケースと、前記カード搬送路内のカードを搬送する搬送手段とを備えたカードリーダであって、前記一方のケースを他方のケースの前記カード挿入口と反対側の端部において開閉自在に枢支し、この回動支点を前記カード搬送手段の駆動軸とし、前記一方のケースに、この一方のケースを前記他方のケースに対して開くことによりカードのカード挿入口と反対側の端部を押圧する押圧部を設け、この押圧部に対応するように前記他方のケースに凹部を設けたものである。
したがって、一方のケースを他方のケースに対して開閉させるとき、一方のケースがカード搬送手段の駆動軸を回動中心として回動する。また、一方のケースを開くと、押圧部によってカードの一方の端部が凹部側に押圧され、カードが傾斜するようにカードの他方の端部がカード搬送路から離間する。
【０００７】
また、請求項２に係る発明は、請求項１に係る発明において、前記駆動軸の両端を回転自在に支持するカラーを設け、このカラーを介して前記一方のケースを他方のケースに対して回動自在に支持したものである。
したがって、ケースと駆動軸との間の回転伝達が遮断される。
【０００９】
【発明の実施の形態】
以下、本発明の実施の形態を図を用いて説明する。図１は本発明に係るカードリーダの一部を破断して示す平面図である。図２（ａ）は同じく側面図、同図（ｂ）は図１におけるII（ｂ）-II（ｂ） 線断面図である。図３は同じくロアーケースの平面図、図４は同じくアッパーケースの平面図である。図５は図１におけるV-V 線断面図、図６はアッパーケースの開閉動作を説明するための図１におけるII（ｂ）-II（ｂ） 線断面図である。図７は図６におけるVII 部の拡大図、図８は図１におけるVIII-VIII 線断面図である。
【００１０】
図１および図２において、全体を符号１で示すものはカードリーダであって、共にプラスチックによって略箱状に形成されたロアーケース２とアッパーケース３とが備えられている。後述するように、アッパーケース３がロアーケース２に駆動軸４０を回動中心として回動自在に支持され、ロアーケース２の上板９とアッパーケース３の底板３１とが対向することにより、非接触型ＩＣカード（以下、単にカードと略称する）４が搬送されるカード搬送路５が形成される。このカード搬送路５の前部側（図中矢印Ａ方向）にはカード挿入口６が設けられ、後部側（図中矢印Ｂ方向）にはカード排出口７が設けられ、図中矢印Ｃ方向の側部にはカード収納口８が設けられている。
【００１１】
次に、図３を用いてロアーケース２について説明する。
ロアーケース２の上板９の前部側には２個の挿通孔１０，１１が穿設され、これら挿通孔１０，１１の裏面側には、図２（ｂ）に示すように、ソレノイド１２が取り付けられている。このソレノイド１２の駆動ピン１２ａに連動して上下動するシャッタピン１３，１４が、挿通孔１０，１１から上板９の上方に進退するように構成されている。
【００１２】
ロアーケース２の上板９の略中央には、２個の矩形状の窓１５，１６が穿設され、これら窓１５，１６の裏面側には揺動自在に支持された切替えブラケット１７が設けられている。この切替えブラケット１７には、Ａ−Ｂ方向に回転自在なピンチローラ１８と、これと直交するようにＣ方向に回転自在なピンチローラ１９とが支持され、図示を省略した駆動源によって切替えブラケット１７が揺動すると、これらピンチローラ１８，１９が交互に窓１５，１６から上板９の上方に進出する。２０はピンチローラ１９の矢印Ｃ方向側に設けられたピンチローラであって、上板９にピンチローラ１９の同一方向に回転自在に支持されている。上板９の後部側には矩形状の窓２１が穿設され、この窓２１から上板９の上方に臨むピンチローラ２２が設けられ、このピンチローラ２２はピンチローラ１８に対して矢印Ｂ方向に位置付けられ、ピンチローラ１８と同一方向となるように上板９の裏面側に回転自在に支持されている。
【００１３】
上板９の後部側の表面には、図３に示すように、平面視略長方形の凹部９ａが設けられている。また、上板９の後部側の左右端には、軸支承部２４，２５が立設されている。これら軸支承部２４，２５には上方が開口し蟻溝状に形成された軸受穴２４ａ，２５ａが設けられており、これら軸受穴２４ａ，２５ａの径は、後述するカラー３９Ａ，３９Ｂの径よりもわずかに大きく形成されている。ロアーケース２の後部側の一方の側部には、正、逆方向に回転可能なモータ２７を固定する支持部２６が一体に形成され、モータ２７のモータ軸にはウォーム２８が軸着されている。
【００１４】
次に、図４を用いてアッパーケース３について説明する。
アッパーケース３は、底板３１と、この底板３１の周囲を囲むように立設された囲い壁とによって上方が開口した箱状に形成され、底板３１には略Ｆ字状の窓３２が穿設されている。この窓３２の左端側には、従動ローラ３３が図中矢印Ａ−Ｂ方向に回転するように底板３１に枢支され、窓３２の略中央の下方側と左端の下方側には、矢印Ａ−Ｂ方向に延在し底板３１に枢支された軸３５の両端に軸着された収納用駆動ローラ３４とかさ歯車３７とが、矢印Ｃ方向に回転するように支持されている。収納用駆動ローラ３４と図示を省略した従動ローラとの間には、収納用駆動ベルト３６が矢印Ｃ方向に延在するように張架されている。
【００１５】
アッパーケース３の後部側の両側部には、蟻溝状の嵌合穴３８Ａ，３８Ｂが設けられ、これら嵌合穴３８Ａ，３８Ｂには一対の円筒状のカラー３９Ａ，３９Ｂが嵌合され、これらカラー３９Ａ，３９Ｂの中空部には矢印Ａ−Ｂ方向と直交する方向に延在する駆動軸４０が回転自在に支持されている。この駆動軸４０の図中上部側にはウォームホィール４１が軸着され、略中央部には駆動ローラ４２が軸着され、この駆動ローラ４２は上述した従動ローラ３３の矢印Ｂ方向に位置付けられており、これら駆動ローラ４２と従動ローラ３３との間には駆動伝達ベルト４４が張架されている。駆動ローラ４２にはかさ歯車４３が一体に形成され、このかさ歯車４３は上述したかさ歯車３７に噛合している。底板３１の後端部には、図７に示すように、上方に延設された押圧部４５が設けられている。
【００１６】
図２（ｂ）に示すように、底板３１の前端部の中央には、底板３１に対して矢印Ａ−Ｂ方向に摺動自在な係合子５０が設けられ、この係合子５０は、底板３１に立設された小壁４６との間に弾装された圧縮コイルばね４７によって底板３１の前端に立設された前板４８側に付勢されている。図８に示すように、係合子５０の前端には係合突起５０ａが突設され、圧縮コイルばね４７の弾発力によってこの係合突起５０ａは前板４８に形成した溝４８ａから突出するように付勢されている。５２は固定子であって、このカードリーダ１が装着される機器側に設けられ、後端側に立設した後板５３には、係合子５０の係合突起５０ａが係合する係合溝５３ａが設けられている。
【００１７】
次に、このような構成のカードリーダ１において、アッパーケース３をロアーケース２に組み付ける方法を説明する。
先ず、図４に示す状態から、駆動軸４０を図中上方にわずかに移動させ、下方側のカラー３９Ｂを一旦駆動軸４０から外し、上方側の嵌合穴３８Ａからカラー３９Ａを外し駆動軸４０の一部を嵌合穴３８Ａの上方に露呈させる。次いで、アッパーケース３をロアーケース２の上方から下方へ移動させ、アッパーケース３の駆動軸４０の両端部をロアーケース２の軸受穴２４ａ，２５ａに係入させる。
【００１８】
そして、駆動軸４０をわずかに下方側に移動させることにより、上方のカラー３９Ａを軸受穴２４ａ内に嵌入させ、下方のカラー３９Ｂをロアーケース３の軸受穴２５ａに嵌入させる。さらに、カラー３９Ａをアッパーケース３の嵌合穴３８Ａに嵌合させ、カラー３９Ｂを嵌合穴３８Ｂに嵌合させる。図１に示すようにＥリング５５を駆動軸４０に取り付け、カラー３９Ｂが駆動軸４０から抜けるのを規制することにより、アッパーケース３がカラー３９Ａ，３９Ｂを介してロアーケース２に回動自在に支持される。
【００１９】
このように、アッパーケース３がカラー３９Ａ，３９Ｂを介してロアーケース２に回動自在に支持されると、アッパーケース３側のウォームホィール４１がロアーケース２側のウォーム２８に噛合するので、モータ２７の駆動は駆動軸４０に伝達される。アッパーケース３は、駆動軸４０を回転自在に支持するカラー３９Ａ，３９Ｂを介してロアーケース２に回転自在に支持されているので、駆動軸４０の軸線を回動中心としている。したがって、駆動軸４０とは別の位置に回動中心を設けなくてもよいので、カードリーダ１の矢印Ａ−Ｂ方向の寸法を小さくすることができるだけでなく、駆動軸４０を回動中心の軸として兼用できるので、部品点数を削減することができる。また、アッパーケース３を直接駆動軸４０に回転自在に支持しないで、駆動軸４０を回転自在に支持するカラー３９Ａ，３９Ｂを介して回転自在に支持したことにより、両ケース２，３と駆動軸４０との間の回転伝達が遮断されるので、駆動軸４０を回転させるモータ２７に両ケース２，３の負荷がかからない。
【００２０】
次に、このような構成のカードリーダ１におけるカードの処理動作を説明する。
あらかじめ、図３において、切替えブラケット１７が揺動して、ピンチローラ１８がロアーケース２の上板９の窓１５から上板９の上方に進出して、このピンチローラ１８が従動ローラ３３に対接し、ピンチローラ１９が上板９の下方に退避した状態になっている。この状態において、図２（ｂ）において、カード４をカード挿入口６からカード搬送路５内に挿入すると、図示を省略した検出手段によってカード４が挿入されたことを検出し、図１においてモータ２７を正方向に駆動させるので、モータ２７の駆動はウォーム２８、ウォームホィール４１を介して駆動軸４０に伝達される。
【００２１】
図２（ｂ）において、駆動ローラ４２が反時計方向に回転し、搬送用駆動ベルト４４が矢印Ｂ方向に走行するので、従動ローラ３３も反時計方向に回転し、カード４は従動ローラ３３とピンチローラ１８に挟持され矢印Ｂ方向に搬送される。カード４の先端が駆動ローラ４２とピンチローラ２２とに挟持されると、図示を省略した検出手段によって検出され、モータ２７の駆動が停止するので、カード４の搬送が停止し、図示を省略したリーダ・ライタ部によってカード４のデータが処理される。
【００２２】
カード４のデータの処理が終了しカード４に未処理データが残存している場合には、モータ２７が逆方向に駆動され、駆動ローラ４２が時計方向に回転するので、カード４はカード搬送路５内を矢印Ａ方向に搬送され、カード挿入口６から返却される。
【００２３】
また、カード４に未処理データが残存していない場合には、図３において、切替えブラケット１７が揺動し、ピンチローラ１８が上板９の下方に退避し、ピンチローラ１９がロアーケース２の上板９の窓１６から上板９の上方に進出して、このピンチローラ１９が収納用駆動ローラ３４に対接した状態になる。したがって、モータ２７が逆方向に駆動され、駆動ローラ４２とピンチローラ２２との挟持によってカード４が矢印Ａ方向にわずかに搬送されると、カード４の後端がこれら駆動ローラ４２とピンチローラ２２から離間する。図４において、収納用駆動ローラ３４がかさ歯車４３，３７および軸３５を介して回転し、収納用駆動ベルト３６が矢印Ｃ方向に走行しているので、カード４は矢印Ｃ方向に搬送され、カード収納口８から図示を省略したカード収納部に収納される。
【００２４】
また、カード４のデータに使用できないデータがあった場合には、図２（ｂ）の状態からモータ２７が正方向に駆動され、駆動ローラ４２が反時計方向に回転するので、カード４はカード排出口７から排出される。
【００２５】
ここで、カード４がカード搬送路５内で詰まった場合には、図８に示すように、係合子５０を圧縮コイルばね４７の弾発力に抗して図中右方に移動させ、係合突起５０ａと固定子５２の係合溝５３ａとの係合を解除し、図６に示すように、アッパーケース３を駆動軸４０を回動中心として時計方向に回動させる。このように、カード搬送路５を開放することにより、図７に示すように、アッパーケース３の押圧部４５がカード４の後端部を下方に押圧する。ロアーケース２の上板９には凹部９ａが設けられているので、カード４はピンチローラ２２を回動中心として時計方向にわずかに回動し、前端側がカード搬送路５から浮き上がる。したがって、カード４の浮き上がった前端部を容易に把持できるので、詰まったカード４を簡単に取り除くことができる。
【００２６】
アッパーケース３をロアーケース２に対して回動自在としたが、ロアーケース２をアッパーケース３に対して回動自在としてもよい。また、カード４を非接触型ＩＣカードとしたが、接触型ＩＣカードでも、磁気カードでもよい。
【００２７】
【発明の効果】
以上説明したように、請求項１に係る発明によれば、部品点数が削減されるだけでなく、装置が小型化される。また、一方のケースを開くと、押圧部によってカードの一方の端部が凹部側に押圧され、カードが傾斜するようにカードの他方の端部がカード搬送路から離間するので、カードを除去しやすく作業性が向上する。
【００２８】
また、請求項２に係る発明によれば、ケースと駆動軸との間の回転伝達が遮断されるので、駆動軸の駆動源に無理な負荷がかからない。
【図面の簡単な説明】
【図１】  本発明に係るカードリーダの一部を破断して示す平面図である。
【図２】  図２（ａ）は本発明に係るカードリーダの側面図、同図（ｂ）は図１におけるII（ｂ）-II（ｂ） 線断面図である。
【図３】  本発明に係るカードリーダのロアーケースの平面図である。
【図４】  本発明に係るカードリーダのアッパーケースの平面図である。
【図５】  図１におけるV-V 線断面図である。
【図６】  本発明に係るカードリーダのアッパーケースの開閉動作を説明するための図１におけるII（ｂ）-II（ｂ） 線断面図である。
【図７】  図６におけるVII 部の拡大図である。
【図８】  図１におけるVIII-VIII 線断面図である。
【符号の説明】
１…カードリーダ、２…ロアーケース、３…アッパーケース、４…非接触型ＩＣカード、５…カード搬送路、６…カード挿入口、７…カード排出口、８…カード収納口、９ａ…凹部、２４ａ，２５ａ…軸受穴、２７…モータ、３３…従動ローラ、３４…収納用駆動ローラ、３８Ａ，３８Ｂ…嵌合穴、３９Ａ，３９Ｂ…カラー、４０…駆動軸、４２…搬送用駆動ローラ、４４…搬送用駆動ベルト、４５…押圧部、５０…係合子。
【図１】
0003775182.tif 000002
【図２】
0003775182.tif 000003
【図３】
0003775182.tif 000004
【図４】
0003775182.tif 000005
【図５】
0003775182.tif 000006
【図６】
0003775182.tif 000007
【図７】
0003775182.tif 000008
【図８】
0003775182.tif 000009